(57)【特許請求の範囲】
【請求項１】
昇降路に沿って昇降する乗りかごと、前記乗りかごとメインロープを介して連動され前記昇降路に沿って昇降する釣り合い錘と、前記釣り合い錘と前記乗りかごの間で前記メインロープが巻き掛けられたシーブ及びこのシーブを回転させるモータより構成された巻上機と、前記巻上機等を制御し前記昇降路の最下階付近に設置された制御盤を備えたエレベーター装置において、
前記制御盤の両側面に案内溝を形成すると共に、前記両案内溝に案内される係合案内部材を上側両端側に有し、下側を手前に引くことで前記制御盤の下方向に移動し、下側を前記制御盤に近づくように押すことで前記制御盤の上方向に移動して前記制御盤を開閉する開閉カバーを前記制御盤に設け、
前記制御盤の下側の前記昇降路壁面にアーム支持部材を取り付け、このアーム支持部材に回転可能に支持アームを取り付け、
点検作業において、前記支持アームを所定の高さまで回転して固定し、前記案内溝に前記係合部材を案内させながら前記開閉カバーを下側に移動して前記支持アーム上に載置して作業台として使用し、
前記昇降路の底面から前記案内溝の最下端面の高さ位置と、前記昇降路の底面から前記支持アームと前記アーム支持部材の回転支持部分までの高さ位置は略同じであることを特徴とするエレベーター装置。
【請求項２】
請求項１に記載のエレベーター装置おいて、前記開閉カバーを前記制御盤に収納した状態で、前記開閉カバーの下端に前記案内溝の最下端で前記開閉カバーの落下を防止する落下防止部材を設けたことを特徴とするエレベーター装置。
【請求項３】
請求項１に記載のエレベーター装置おいて、前記開閉カバーの下側両側端には落下防止用柵枠が回転可能に取り付けられ、前記開閉カバーが前記支持アーム上に載置された状態で前記落下防止用柵枠を前記開閉カバーと略直角になる位置まで回転して固定し、前記落下防止用柵枠に柵体を取り付けて落下防止用柵とすることを特徴とするエレベーター装置。
【請求項４】
請求項３に記載のエレベーター装置おいて、前記開閉カバーを前記制御盤に収納した状態で、前記柵体は前記案内溝を挿通して前記案内溝の最下端で前記開閉カバーの落下を防止することを特徴とするエレベーター装置。
【発明の詳細な説明】
【技術分野】
【０００１】
本発明は建築物に設けられた昇降路内に乗りかごを配置して人や荷物を利用階に運ぶエレベーター装置に係り、特に昇降路の最下階付近に設置した制御盤を点検するための作業台を備えたエレベーター装置に関するものである。
【背景技術】
【０００２】
一般に、エレベーター装置はトラクション方式と呼ばれるものが多く普及している。このトラクション方式は乗りかごと釣り合い錘がメインロープによって懸架されており、巻上機でメインロープを巻き上げることにより乗りかごと釣り合い錘が逆方向に上下に昇降するものである。
【０００３】
最近のエレベーターは機械室レスエレベーターが主流となりつつあり、これは巻上機、釣り合い錘及び制御盤等を昇降路内に配置することが大きな特徴となっている。
この機械室レスエレベーター装置は、巻上機を乗りかご或いは釣り合い錘の上部に配置する構成と、巻上機を乗りかごと昇降路壁の隙間に配置する構成の２つに大別される。
そして、いずれの構成であっても制御盤は昇降路の壁面付近に設置されているが、通常では制御盤は洪水や大雨によるピット内への冠水を想定して昇降路のピット上方の最下階付近に設置されている。
【０００４】
ところで、この種エレベーター装置では定期点検が義務付けられており、巻上機やメインロープの点検はもとより制御盤も作業員による点検が必要になっている。また、当然のことながら制御盤の故障時においても制御盤を修理することが必要である。以下、点検作業や修理作業を一括して点検作業とまとめて表現する。
【０００５】
しかしながら、上述したように制御盤は昇降路の最下階付近に設置されているので、作業員がピット内に入って制御盤を点検する場合は専用の作業台を設置する必要があった。
この専用の作業台を設けたエレベーター装置に関しては、特開２００８−４４７３５号公報（特許文献1）にあるように昇降路のピット上部壁面に作業台を設置し、点検作業を行わない場合は作業台を壁面に接するようにたたみ、点検作業を行う場合は作業台を持ち上げて水平状態に維持し、この作業台に作業員が乗って制御盤の点検を行うものであった。
【先行技術文献】
【特許文献】
【０００６】
【特許文献１】特開２００８−４４７３５号公報
【発明の概要】
【発明が解決しようとする課題】
【０００７】
しかしながら、上述した従来のエレベーター装置では専用の作業台を準備しなければならないことから部品点数が増加するといった問題があった。
また、場合によっては作業台に作業員の落下防止用柵を取り付けようとすると、作業台に専用の落下防止用柵取り付け金具を準備したり、これに伴って落下防止用柵の取り付け作業が増えたりする問題も新たに発生するようになる。
【０００８】
本発明の主たる目的は、部品点数を減らし簡素な構造でピット内から昇降路の最下階付近に設置した制御盤を点検することのできるエレベーター装置を提供することにある。
本発明の他の目的は、落下防止用柵が容易に作業台に取り付けることができるエレベーター装置を提供することにある。
【課題を解決するための手段】
【０００９】
本発明の特徴は、昇降路の最下階付近の壁面或いはその付近に開閉カバーを上下に移動可能にした制御盤を設置すると共に制御盤の下に回転可能に支持アームを設け、点検作業時に支持アームを作業に必要な角度に回転、固定した後に支持アームの上に開閉カバーを下側に移動、載置させて作業台としたエレベーター装置にある。
【００１０】
本発明の他の特徴は、開閉カバーの下側部分に落下防止用柵を取り付け、作業台として使用する時に落下防止用柵を開閉カバーに対してほぼ直角に起立させるようにして固定したエレベーター装置にある。
【発明の効果】
【００１１】
本発明によれば、開閉カバーを上下に移動可能にして支持アームの上に載置することにより作業台と開閉カバーを兼用するようにしたので部品点数を低減できるものである。
【００１２】
また、落下防止用柵も開閉カバーに事前に取り付けられているので落下防止用柵を取り付ける作業時間を短縮することができるものである。
【図面の簡単な説明】
【００１３】
【図１】機械室レスエレベーター装置の概略構成を示す断面図である。
【図２】本発明の一実施例になるエレベーター装置の作業台を組み立てた状態の側面図である。
【図３】図２に示す作業台を組み立てた状態を上面から見た上面図である。
【図４】図２に示す制御盤の側面図である。
【図５】図２に示す開閉カバーの正面図である。
【図６】本発明の一実施例になるエレベーター装置の作業台を収納した状態の側面図である。
【発明を実施するための形態】
【００１４】
以下、本発明に係るエレベーター装置の実施形態を図に基づいて説明するが、先ず図１を用いて機械室レスエレベーター装置の概略の構成を説明する。
図１は昇降路内に収納されたおエレベーターの構成を説明するための断面図であり、参照番号１０は建築物に設けられた昇降路であり内部にエレベーター装置を構成する構成要素が収納されている。
【００１５】
エレベーター装置は乗りかご１１と釣り合い錘１２及び巻上機１３及び図1では示していないが制御盤を主な構成要素とし、乗りかご１１の下部にはプーリ１４が取り付けられ、釣り合い錘１２にはプーリ１５が取り付けられ、巻上機１３の回転軸（＝電動機の回転軸）にはシーブ１６が取り付けられている。
ここで、巻上機１３は昇降路１０の最下階１０Ａより下に形成されたピット２１の床面に載置されているが、昇降路１０の最頂部付近に固定した梁に取り付ける構成としても良い。
【００１６】
昇降路１０の上部には梁１７が固定され、この梁１７に中間プーリ１８Ａ、１８Ｂが取り付けられており、メインロープ１９の巻き掛け方向を変えるようになっている。
メインロープ１９は一端が昇降路１９の上部壁面に取り付けられ、この一端から出発して釣り合い錘１２のプーリ１５、第１の中間プーリ１８Ａ、巻上機１３のシーブ１６、第２の中間プーリ１８Ｂ及び乗りかご１１のプーリ１４を経て昇降路１９の上部壁面にその他端が取り付けられている。
このローピングは２対１ローピングと呼ばれ、動滑車の原理を利用して巻上機１３の巻上力を低減しているものである。
【００１７】
釣り合い錘１２の下部には釣り合い錘１２の衝突による衝撃を緩衝する緩衝器１９１が設置されているが、乗りかご１１の下部にも乗りかご１１の衝突による衝撃を緩衝する緩衝器が設置されているものである。
【００１８】
このような、エレベーター装置においては図示しない制御盤によって運行指令が巻上機１６の電動機や制動機構等に与えられ、この運行指令によって乗りかご１１が建築物の所定の階層に向けて昇降動作するものである。
【００１９】
そして、昇降路１０の最下階付近１０Ａには制御盤がもうけられており、この制御盤は昇降路１０の壁面に取り付けられるか、或いは壁面に沿って横に張り巡らした梁に取り付けられている。
【００２０】
このようなエレベーター装置において、本発明の実施例においては図２及び図３に示したような構成を採用している。尚、この図２及び図３は点検作業時の状態を示しており、乗りかご１１は昇降路１０の最上階に退避されている。
【００２１】
昇降路１０の最下階付近１０Ａ、言い換えればピット２１の上方には制御盤２２が横に張り巡らせた梁２３にボルト等によって固定されている。制御盤２２は縦方向に長い中空の直方体の形状を有した筐体で構成されており、内部に巻上機１３等を制御する制御装置や配線が内蔵されている。ここで、制御盤２２の筐体は一般的には薄肉の鋼板で形成されている。
【００２２】
制御盤２２はその正面に開閉カバー２４が設けられ、この開閉カバー２４によって内部の制御装置等を埃や水から隔離している。また、開閉カバー２４を開けることによって点検作業を行うことができる。
【００２３】
本実施例での開閉カバー２４は従来の観音開き式の開閉カバーではなく、上下に移動して開閉するスライド式の開閉カバーとなっている。この理由は後で詳細に説明するが、開閉カバー２４を作業員が点検作業に使用する作業台と兼用するためである。
【００２４】
開閉カバー２４の一方端の両側面には一対の係合ピン２５が固定されており、この係合ピン２５は相互に向き合う方向に伸びるピンである。そして、制御盤２２の長さ方向の両側面には縦長の案内溝２６が形成され、この案内溝２６に摺動可能に開閉カバー２２の係合案内部材として機能する係合ピン２５が係合している。
係合ピン２５は開閉カバー２４を制御盤２２に収納したとき、開閉カバー２４の上側両端部の位置にあるように配置されている。
【００２５】
開閉カバー２４の他方端の両側面には一対の落下防止用柵枠２７が設けられており、この落下防止用柵枠２７は開閉カバー２４とボルト２８によって強固に固定されている。もちろん、このボルト２８を緩めれば落下防止用柵枠２７は自由状態となる。また、一対の落下防止用柵枠２７の間には一本の柵体２９が差し渡されており、落下防止用柵枠２７と柵体２９によって落下防止用柵が構成されているものである。
落下防止用柵枠２７は開閉カバー２４を制御盤２２に収納したとき、開閉カバー２４の下側両端部の位置にあるように配置されている。
【００２６】
尚、この落下防止用柵枠２７に取り付けられる柵体２９は落下防止用柵枠２７に抜き差し可能な状態で取り付けられるものであり、例えば一方の落下防止用柵枠２７にねじ孔を形成し、このねじ孔に螺合するように柵体２９の一方にねじを切っておいても良いものである。また、この柵体２９は開閉カバー２４を収納した状態で開閉カバー２４が下方に移動するのを防止する開閉カバー落下防止部材としての機能も併せ有している。
【００２７】
ここで、落下防止用柵を設けない構成にした場合には、開閉カバー２４を制御盤２２に戻して収納状態としたときに開閉カバー２４が落下するのを防止する開閉カバー落下防止部材を開閉カバー２４の下端に設ければ良い。
【００２８】
制御盤２２の下方には支持アーム３０を回転自在に支持するアーム支持部材として機能するアーム支持部３１がピット２１の壁面に固定されている。支持アーム３０は“コの字”状の形態をとり、両側に回転ピン３２が設けられている。したがって、支持アーム３０はアーム支持部３１とは回転ピン３２によって回転自在に支持されるようになっている。
【００２９】
ここで、回転ピン３２の高さ位置と制御盤２２の側面に形成した案内溝２６の最下端の高さ位置は略同じに寸法が決められている。
この理由は、開閉カバー２４を収納したとき柵体２９が案内溝２６の最下端に接触し、開閉カバー２４が落下しないようにした状態で、支持アーム３０を少なくともこの高さ位置まで回転させることができるようにするためである。
【００３０】
アーム支持部３１はアンカーボルト等によってピット２１のコンクリートからなる壁面に固定されるものであり、このアーム支持部３１はその下端側にステー係合金具３３が一体に備え付けられている。
【００３１】
ステー係合金具３３はその途中にステー係合溝３４が形成され、このステー係合溝３４に支持アーム３０に回転可能に係合したステー３５の一端が係合収納されるようになっている。
支持アーム３０は図２において上側に回転されて所定の角度（実際には水平付近であるが、厳密に水平を保つ必要はない）に達するとステー３５によってその位置が維持されるものである。
そして、この支持アーム３０の上に開閉カバー２４が載せられ作業員の作業台として機能するようになっている。尚、ステー３６が無くても支持アーム３０を強固に作業位置に維持できればステー３５を設ける必要はない。本発明においては基本的にステー３５を必要要件とするものではない。
【００３２】
図４は制御盤２２の側面を示しており、この側面には案内溝２６が縦方向に所定の長さだけ形成されている。本実施例においては、この案内溝２６は制御盤２２を形成する筐体の内外を貫通するように形成されているが、貫通することを嫌う場合には細長い凹状（カップ状）の案内溝形成材の底面に案内溝２６を形成し、これを制御盤２２の側面に被せるようにして溶接等の手段によって固定することも可能である。
【００３３】
また、制御盤２２の下方には支持アーム３０が通過、移動できるようにするためと、柵体２９が挿通するためのスリットを形成するスリット形成部３６が設けられている。このスリット形成部３６は制御盤２２を正面から見て支持アーム３０の幅以上の長さを有しており、当然のことながら、この部分には制御装置等の部品は収納されないものである。また、このスリット形成部３６の長さは制御盤２２の仕様によって適宜決められるものである。
【００３４】
図５は開閉カバー２４の詳細を示したものであり、開閉カバー２４は断面が“コの字”状に折り曲げられ、作業台となる面の上下両端側の一部分が切り取られている形状となっている。そして、一方端の折り曲げられた両側面に係合ピン２５が固定されている。この状態で、作業台となる面から見て切り取られた部分で係合ピン２５が覗くようになっている。
係合ピン２５は相互に対向しており、この係合ピン２５が制御盤２２の案内溝２６に収納されて案内溝２６の範囲で摺動するものである。
【００３５】
また、他方端の折り曲げられた両側面に落下防止用柵枠２７がボルト２８によって取り付け固定されている。この状態で、作業台となる面から見て切り取られた部分でボルト２８が覗くようになっている。
更に、一方の落下防止用柵枠２７にねじ孔を形成し、柵体２９の一方にねじを切ってこのねじ孔に螺合するように柵体２９が固定されている。上述したように、この柵体２９は開閉カバー２４を制御盤２２に収納した状態で開閉カバー２４が下方に移動するのを防止する機能も併せ有している。
【００３６】
以上のような構成のエレベーター装置において、作業台の組み立て方法について説明する。
図６は前回の点検作業を終了した状態を示しており、今回の点検作業において、作業員ははしご等を使ってピット２１内に入る。
【００３７】
作業員は図２に示すように、支持アーム３０を制御盤２２のスリット形成部３６まで回転させて所定の位置までもってくると、支持アーム３０に設けたステー３５の一端をステー係合金具３３のステー係合溝３４に係合収納してその位置を維持する。
【００３８】
このとき、回転ピン３２の高さ位置と制御盤２２の側面に形成した案内溝２６の最下端の高さ位置は略同じに寸法が決められているので、開閉カバー２４を落下しないように収納した状態で支持アーム３０を案内溝２６の最下端の高さ位置付近まで回転させることができる。
【００３９】
そして、図６にあるように開閉カバー２４は閉じられている状態なので、柵体２９を落下防止用柵枠２７から取り外すと開閉カバー２４は自由な状態となる。ここで、開閉カバー２４の下側を制御盤２２の手前側へ引き、開閉カバー２４に設けた係合ピン２５を案内溝２６に沿って下側に移動するように開閉カバー２４を移動させれば、開閉カバー２４は手前に動きながら徐々に下降してくるようになる。
【００４０】
係合ピン２５が案内溝２６の最下端付近まで下降すると開閉カバー２４は支持アーム３０の上に載った載置状態となり作業台の機能を得ることができると共に、同時に制御盤２２は内部が開放されて点検作業が可能な状態となる。
【００４１】
最後に、作業員は落下防止用柵枠２７を開閉カバー２４に対して略直角になるように回転移動させ、次いでボルト２８によって開閉カバー２４と強固に固定し、更に柵体２９のねじ部を落下防止用柵枠２７のねじ部にねじ込んで固定して組み立て作業を終了することになる。この後に作業員は制御盤２２の点検作業を行えば良いものである。
【００４２】
次に、作業が終了して作業台を撤収する場合は以下のような手順で実施すれば良い。
図２の状態で、先ず作業員は柵体２９を落下防止用柵枠２７からはずし、落下防止用柵枠２７のボルト２８を緩めて開閉カバー２４と同様に水平状態にして再びボルト２８を閉めて開閉カバー２４と落下防止用柵枠２７を強固に固定する。
【００４３】
この状態から開閉カバー２４の下側を持ち上げ制御盤２２に近づくように押し、開閉カバー２４に設けた係合ピン２５を案内溝２６に沿って上側に移動するように開閉カバー２４を移動させれば、開閉カバー２４は制御盤２２に近づくように徐々に上昇する。
このようにして、開閉カバー２４を持ち上げて案内溝２６に沿って係合ピン２５を上方に摺動させ、開閉カバー２４が収納された状態になると、落下防止用柵枠２７と案内溝２６は互いに重なるようになる。
【００４４】
この状態で柵体２９を落下防止用柵枠２７に取り付けると、柵体２９は案内溝２６及びスリット形成部３６を挿通した状態となり、結果的に柵体２９と案内溝２６の最下端とが接触して開閉カバー２４が落下するのを防止できる構成となる。
【００４５】
次に、ステー３５の一端をステー係合金具３３のステー係合溝３４からはずし、支持アーム３０を回転させてもとの壁面付近に戻してやって撤収作業を完了し、このようにして撤収した状態が図６に示す状態である。この後に、作業員はピット２１からはしご等を使用して退出して点検作業を終了するものである。
【００４６】
このように、本実施例によると制御盤の開閉カバー２４を作業台として兼用するため部品点数を低減できるという効果が期待できる。
【００４７】
また、支持アーム３０によって開閉カバー２４を支持するようにしているため、作業台としての剛性を確保でき、作業員が安全に作業できる環境を提供できるという効果が期待できる。
【００４８】
更に、落下防止用柵も開閉カバー２４に事前に取り付けられているので落下防止用柵を取り付ける作業時間を短縮するという効果が期待できる。
【符号の説明】
【００４９】
１０Ａ…最下階付近、２１…ピット、２２…制御盤、２３…梁、２４…開閉カバー、２５…係合ピン、２６…案内溝、２７…落下防止用柵枠、２８…ボルト、２９…柵体、３０…支持アーム、
３１…アーム支持部、３２…回転ピン、３３…ステー係合金具、３４…ステー係合溝、３５…ステー、３６…スリット形成部。
【図１】
0005572131.tif 000002
【図２】
0005572131.tif 000003
【図３】
0005572131.tif 000004
【図４】
0005572131.tif 000005
【図５】
0005572131.tif 000006
【図６】
0005572131.tif 000007